(57)【要約】    【課題】動画質の向上した液晶ディスプレイ(LCD)を提供する。    【解決手段】このLCDは、1フレームタイムの間に1フレームを表示する。このLCDの画素は、第1スイッチと第2スイッチとを有する。第1時点で、第1スイッチがビデオ走査線によりオンにされ、ビデオデータ信号がビデオデータ線を介して画素に送られることにより、画素は第1輝度を有することになる。第2時点で、第2スイッチが特定色信号走査線によりオンにされ、特定色データ信号が特定色信号データ線を介して画素に送られることにより、画素は第1輝度よりも低い第2輝度を有することになる。第2時点と第1時点との時間間隔はフレームタイムよりも短いので、残像現象が抑えられる。【選択図】図４
2005326809.tif 000002
【特許請求の範囲】
【請求項１】
1フレームタイムに1フレームを表示するディスプレイであって、
第1スイッチおよび第2スイッチを含む画素と、
上記第1スイッチを制御する為のビデオ走査線と、
上記第1スイッチと接続されたビデオデータ線であって、第1時点に上記画素にビデオデータ信号を送ることにより、上記画素が第1輝度を有するようにするためのビデオデータ線と、
上記第2スイッチを制御する為の特定色信号走査線と、
第2スイッチと接続された特定色信号データ線であって、上記第2時点に上記画素に特定色データ信号を送ることにより、上記画素が第2輝度を有するようにするための特定色信号データ線とを具備するディスプレイ。
【請求項２】
上記第2輝度が上記第1輝度よりも低い請求項1に記載のディスプレイ。
【請求項３】
上記第2時点と上記第1時点との時間間隔が、上記フレームタイムよりも短い請求項2に記載のディスプレイ。
【請求項４】
上記第2時点と上記第1時点との時間間隔が、実質的に上記フレームタイムの1/2である請求項3に記載のディスプレイ。
【請求項５】
上記特定色信号走査線が黒信号走査線であり、上記特定色信号データ線が黒信号データ線であり、上記特定色データ信号が黒データ信号である請求項1に記載のディスプレイ。
【請求項６】
上記画素が更に画素電極を含み、上記第1スイッチが第1薄膜トランジスタであり、上記第2スイッチが第2薄膜トランジスタであり、上記第1薄膜トランジスタが、上記ビデオ走査線に接続されたゲートと、上記ビデオデータ線に接続されたドレインと、上記画素電極に接続されたソースとを有しており、上記第2薄膜トランジスタが、上記特定色信号走査線に接続されたゲートと、上記特定色信号データ線に接続されたドレインと、上記画素電極に接続されたソースとを有している請求項１に記載のディスプレイ。
【請求項７】
1フレームタイムに1フレームを表示するディスプレイであって、
M行N列に配列された複数の画素であって、当該複数の画素の中の1つが画素(I,J)と定義され、IはM以下の正の整数であり、JはN以下の正の整数であり、上記画素(I,J)が第1スイッチ(I,J)と第2スイッチ(I,J)とを含む複数の画素と、
M本のビデオ走査線であって、当該M本のビデオ走査線の中の1本が上記第1スイッチ(I,J)を制御する為のビデオ走査線(I)と定義されるM本のビデオ走査線と、
N本のビデオデータ線であって、当該N本のビデオデータ線の中の1本が上記第1スイッチ(I,J)と接続されており、これにより、第１時点にビデオデータ信号(I,J)を上記画素(I,J)に送り、上記画素(I,J)が第1輝度(I,J)を有するようにされているN本のビデオデータ線と、
M本の特定色信号走査線であって、当該M本の特定色信号走査線の中の1本が上記第2スイッチ(I,J)を制御する為の特定色信号走査線(I)と定義されるM本の特定色信号走査線と、
N本の特定色信号データ線であって、当該N本の特定色信号データ線の中の1本が、上記第2スイッチ(I,J)と接続されており、これにより、第2時点に特定色データ信号(I,J)を上記画素(I,J)に送り、上記画素(I,J)が第2輝度(I,J)を有するようにされている特定色信号データ線(J)と定義されるN本の特定色信号データ線と、
上記M本のビデオ走査線を駆動するビデオ走査ドライバと、
上記N本のビデオデータ線を駆動するビデオデータドライバと、
上記N本の特定色信号データ線を駆動する特定色データドライバとを具備するディスプレイ。
【請求項８】
上記第2輝度が上記第1輝度よりも低い請求項7に記載のディスプレイ。
【請求項９】
上記第2時点と上記第1時点との時間間隔が、上記フレームタイムよりも短い請求項8に記載のディスプレイ。
【請求項１０】
上記第2時点と上記第1時点との時間間隔が、実質的に上記フレームタイムの1/2である請求項9に記載のディスプレイ。
【請求項１１】
上記M本の特定色信号走査線を駆動する為のM個の特定色走査信号を出力する特定色信号走査ドライバを更に具備する請求項7に記載のディスプレイ。
【請求項１２】
上記特定色信号走査ドライバが黒信号走査ドライバである請求項11に記載のディスプレイ。
【請求項１３】
上記M本の特定色信号走査線の中の他の1本が特定色信号走査線(K)と定義され、KはI以外のM以下の正の整数であり、上記ビデオ走査線(I)が上記特定色信号走査線(K)と電気的に接続されている請求項7に記載のディスプレイ。
【請求項１４】
KとIとの差がM/2である請求項13に記載のディスプレイ。
【請求項１５】
上記M本の特定色信号走査線がM本の黒信号走査線であり、上記N本の特定色信号データ線がN本の黒信号データ線であり、上記特定色データ信号(I,J)が黒データ信号であり、上記特定色データドライバが黒信号データドライバである請求項7に記載のディスプレイ。
【請求項１６】
上記画素(I,J)が更に画素電極(I,J)を含み、上記第1スイッチ(I,J)が第1薄膜トランジスタ(I,J)であり、上記第2スイッチ(I,J)が第2薄膜トランジスタ(I,J)であり、上記第1薄膜トランジスタ(I,J)は上記ビデオ走査線(I)に接続たされゲートと、上記ビデオデータ線(J)に接続されたドレインと、上記画素電極(I,J)に接続されたソースとを有しており、上記第2薄膜トランジスタ(I,J)は、上記特定色信号走査線(I)に接続されたゲートと、上記特定色信号データ線(J)に接続されたドレインと、上記画素電極(I,J)に接続されたソースとを有している請求項7に記載のディスプレイ。
【請求項１７】
1フレームタイムに1フレームを表示し、第1スイッチと第2スイッチとを含む画素と、ビデオ走査線と、ビデオデータ線と、特定色信号走査線と、特定色信号データ線とを備えているディスプレイの駆動方法であって、
第1時点で上記第1スイッチをオンにすることと、
上記第1時点で上記ビデオデータ線を介して上記画素にビデオデータ信号を送ることにより、上記画素が第1輝度を有するようにすることと、
第2時点で上記第2スイッチをオンにすることと、
上記第2時点で上記特定色信号データ線を介して上記画素に特定色データ信号を送ることにより、上記画素が第2輝度を有するようにすることとを含むディスプレイの駆動方法。
【請求項１８】
上記第2輝度が上記第1輝度よりも低い請求項17に記載の方法。
【請求項１９】
上記第2時点と上記第1時点との時間間隔が、上記フレームタイムよりも短い請求項18に記載の方法。
【請求項２０】
上記第2時点と上記第1時点との時間間隔が、実質的に上記フレームタイムの1/2である請求項19に記載の方法。
【請求項２１】
上記特定色信号走査線が黒信号走査線であり、上記特定色信号データ線が黒信号データ線であり、上記特定色信号が黒データ信号である請求項17に記載の方法。
【発明の詳細な説明】
【技術分野】
【０００１】
本発明は、液晶ディスプレイ(LCD)及びその駆動方法全般に関し、特に、動画質の向上したLCDとその駆動方法に関する。
【背景技術】
【０００２】
本出願は、2004年5月12日に提出された台湾特許出願第93113376号の利益を主張するものであり、その内容は、引用により本出願に組み込まれるものとする。
図1は、従来のアモルファスシリコン薄膜トランジスタLCDを示す部分概略図である。図1を参照して、該LCDは、アレイ状に配された複数の画素（ピクセル）Pと、複数の走査線Sと、該走査線と直交する複数のデータ線Dとを有する。各画素Pは、薄膜トランジスタ(TFT) Mと、液晶キャパシタClcと、蓄電キャパシタCstとを有する。液晶キャパシタClcは、上基板の共通電極（図示せず）、下基板の画素電極(図示せず)、および上基板と下基板との間に密封された液晶層（図示せず）に相当する要素である。薄膜トランジスタMは、対応する走査線に接続されたゲートと、対応するデータ線に接続されたドレインと、対応する画素電極に接続されたソースとを有している。
【０００３】
走査線S(I)およびS(I+1)と、データ線D(J) およびD(J+1)と、画素P(I, J)ないしP(I+1, J+1)とを例にとって、LCDの動作状態について説明する。従来のLCDは、ホールド型画像表示モードに属する。走査線S(I) およびS(I+1)が連続してオンになっているときに、画素P(I, J)ないしP(I+1, J+1)の画素データに対応する電圧がそれぞれ、データ線D(J) およびD(J+1)から画素P(I, J)ないしP(I+1, J+1)に入力され、これらの電圧はそれぞれ、フレームタイムFTの間、各液晶キャパシタClcの両端部間の電圧がほぼ初期電圧に維持されるように、各画素の蓄電キャパシタCstによって保持される。従って、画素P(I, J)ないしP(I+1, J+1)は、フレームタイムFTの間所望のフレームを表示する為に発光する。従来のLCDの表示中における、ある画素の輝度と時間との間の関係を表す曲線を、図2に示す。
【０００４】
しかしながら、従来のLCDはホールド型画像表示モードに属する為、残像現象が起こりやすく、LCDが高速で動画を表示しているときの動画質が低下する。従って、この分野では、LCDの残像現象を抑えて動画質の向上を図ることが重要課題となっている。
【発明の開示】
【発明が解決しようとする課題】
【０００５】
上記に鑑みて本発明の目的は、動画質の向上したLCD及び、LCDの残像現象を改善して動画質を向上することのできるLCDの駆動方法を提供することである。
【課題を解決するための手段】
【０００６】
本発明は、動画質の向上した液晶ディスプレイ(LCD)を提供することにより上記の目的を達成する。該LCDは、1フレームタイムの間に1フレームを表示し、画素と、ビデオ走査線と、ビデオデータ線と、特定色信号走査線と、特定色信号データ線とを具備する。画素は、第1スイッチと第2スイッチとを有する。ビデオ走査線は、第1スイッチを制御する為のものである。ビデオデータ線は、第1スイッチに接続されている。第1時点において、第１スイッチがオンになると、ビデオデータ線を介してビデオデータ信号が画素に送られ、画素は第1輝度を有することになる。特定色信号走査線は、第2スイッチを制御する為のものである。特定色信号データ線は、第2スイッチに接続されている。第2時点において、第2スイッチがオンになると、特定色信号データ線を介して特定色データ信号が画素に送られ、画素は、第1輝度よりも低い第2輝度を有することになる。第2時点と第1時点との時間間隔は、フレームタイムよりも短くなっている。
【０００７】
本発明はまた、動画質の向上した液晶ディスプレイ(LCD)を提供することにより上記の目的を達成する。該LCDは、1フレームタイムの間に1フレームを表示し、M×N個の画素と、M本のビデオ走査線と、N本のビデオデータ線と、M本の特定色信号走査線と、N本の特定色信号データ線と、ビデオ走査ドライバと、ビデオデータドライバと、特定色データドライバとを具備する。
【０００８】
M×N個の画素は、M行N列に配列されており、M×N個の画素の中の1つが画素(I, J)と定義される。ここで、Iは、M以下の正の整数であり、JはN以下の正の整数である。また、画素(I, J)は、第1スイッチ(I, J)と第2スイッチ(I, J)とを含む。M本のビデオ走査線の中の1本が、ビデオ走査線(I)と定義され、第1スイッチ(I, J)を制御する。N本のビデオデータ線の中の1本が、ビデオデータ線(J)と定義され、第1スイッチ(l, J)に接続されている。第1時点において、第1スイッチ(I, J)がオンになり、ビデオデータ信号(I, J)がビデオデータ線(J)を介して画素(I, J)に送られ、画素(I, J)は第1輝度(I, J)を有することになる。M本の特定色信号走査線はそれぞれ、M個の特定色走査信号を受けとる。M本の特定色信号走査線の中の1本が、特定色信号走査線(I)と定義され、M本の特定色走査信号の中の1つが、特定色走査信号(I)と定義される。特定色走査信号(I)が有効になると、第2スイッチ(I, J)がオンになる。N本の特定色信号データ線の中の1本が、特定色信号データ線(J)と定義され、第2スイッチ(I, J)に接続されている。第2時点において、第2スイッチ(I, J)がオンになり、特定色データ信号(I, J)が、特定色信号データ線(J)を介して画素(I, J)に送られて、画素(I, J)は第2輝度(I, J)を有することになる。この第2輝度は、第1輝度(I, J)よりも低い。第2時点と第1時点との時間間隔は、フレームタイムよりも短くなっている。ビデオ走査ドライバは、M本のビデオ走査線を駆動する。ビデオデータドライバは、N本のビデオデータ線を駆動する。特定色データドライバは、N本の特定色信号データ線を駆動する。
【０００９】
また、本発明のLCDは更に、M本の特定色信号走査線を駆動する為にM個の特定色走査信号を出力する特定色信号走査ドライバを備える。別の構成として、本発明のLCDにおいて、M本の特定色信号走査線の中の他の1本が、特定色信号走査線(K)と定義される。ここで、KはI以外であってM以下の正の整数であり、特定色信号走査線(I)は特定色信号走査線(K)と電気的に接続されている。
【００１０】
本発明のその他の目的、特徴および利点は、好適且つ非限定的な実施形態の以下の詳細な説明から明らかとなろう。以下の説明は、添付図を参照して行う。
【発明を実施するための最良の形態】
【００１１】
図3は、CRTモニターが画像表示を行っている時における、ある画素の輝度と時間との関係を示す曲線である。図3に示すように、従来のCRTモニターは、インパルス型画像表示モードに属する為、1フレームに相当するフレームタイムFT内に電子ビームが蛍光層に当たって、CRTモニターのある特定の画素が瞬間的に強い光を発する。その後、CRTモニターのその画素はすぐに暗状態に戻るので、従来のCRTモニターに残像現象は起こらない。そこで、本発明では、適当な時点で画素を暗状態に戻す為のスイッチを画素に追加して、CRTモニターのインパルス型画像表示モードを模倣し、これによりLCDの残像現象を抑えるようにしている。
第1実施形態
図4は、本発明の第1実施形態による動画質の向上したLCDを示す概略図である。図4を参照して、LCD等の、本発明のディスプレイ400は、1フレームタイムFTの間に1フレームを表示する。このディスプレイ400は、M×N個の画素Pと、M本のビデオ走査線402(1)〜402(M)と、N本のビデオデータ線404(1)〜404(N)と、M本の黒信号走査線406(1)〜406(M)と、N本の黒信号データ線408(1)〜408(N)と、ビデオデータドライバ412と、ビデオ走査ドライバ410と、黒信号データドライバ414と、黒信号走査ドライバ416とを備えている。
【００１２】
説明を明確にする為、図5を参照する。図5は、Mが12でNが6の場合における、図4のLCDを示す構成図である。M×N個の画素は、M行 N列に配列されている。I番目の行のJ番目の列にある画素は、画素(I, J)と定義され、IはM以下の正の整数であり、JはN以下の正の整数である。画素(I, J)は、画素電極(I, J)と、第１スイッチ(I, J)と、第2スイッチ(I, J)とを有する。第1スイッチ(I, J)は、例えば第1薄膜トランジスタM1(I, J)である。第2スイッチ(I, J)は、例えば第2薄膜トランジスタM2(I, J)である。M本のビデオ走査線402(1)〜402(M)はそれぞれ、1行目〜M行目の第1薄膜トランジスタM1のゲートに接続されている。N本のビデオデータ線404(1)〜404(N)はそれぞれ、1列目〜N列目の第1薄膜トランジスタM1のドレンに接続されている。各第1薄膜トランジスタM1のソースは、対応する画素電極に接続されている。M本の黒信号走査線406(1)〜406(M)はそれぞれ、1行目〜M行目の第2薄膜トランジスタM2のゲートに接続されている。N本の黒信号データ線408(1)〜408(N)はそれぞれ、1列目〜N列目の第2薄膜トランジスタM2のドレンに接続されている。各第2薄膜トランジスタM2のソースは、対応する画素電極に接続されている。
【００１３】
ビデオ走査ドライバ410は、M本のビデオ走査線402(1)〜402(M)を駆動する為のビデオ走査信号S(1)〜S(M)を出力する。ビデオデータドライバ412は、N本のビデオデータ線404(1)〜404(N) を駆動する為のビデオデータ信号D(1)〜D(N)を出力する。黒信号走査ドライバ416は、M本の黒信号走査線406(1)〜406(M)を駆動する為のM個の黒走査信号BS(1)〜BS(M)を出力する。黒信号データドライバ414は、N本の黒信号データ線408(1)〜408(N) を駆動する為の黒データ信号BD(1)〜BD(N)を出力する。
【００１４】
Iが1でJが2の場合における1行目の2列目に対応する画素(1,2)の例について説明する。この画素P(1,2)は、第1薄膜トランジスタM1(1,2)と、第2薄膜トランジスタM2(1,2)と、蓄電キャパシタCst(1,2)とを含む。この画素P(1,2)は更に、上基板の共通電極（図示せず）と、下基板の画素電極(図示せず)と、上基板と下基板との間に密封された液晶層（図示せず）とを含む。これらの電極は全て、液晶キャパシタClc(1,2)に相当する。
【００１５】
第1薄膜トランジスタM1(1,2)は、ビデオ走査線402(1)に接続されたゲートと、ビデオデータ線404(2)に接続されたドレインと、液晶キャパシタClc(1,2)および蓄電キャパシタCst(1,2)に接続されたソースとを有している。第2薄膜トランジスタM2(1,2)は、黒信号走査線406(1)に接続されたゲートと、黒信号データ線408(2)に接続されたドレインと、液晶キャパシタClc(1,2)および蓄電キャパシタCst(1,2)に接続されたソースとを有している。
【００１６】
図6は、本発明の第1実施形態による図4のディスプレイを示す駆動波形図である。図6及び図4に示すように、例示されたディスプレイ400においては、カラム反転駆動法が使用されている。第1時点t1において、ビデオ走査信号S(1)が有効となり、第1薄膜トランジスタM1(1,2)がオンになる。この時、ビデオデータ信号D(2)が、ビデオデータ線404(2)を介して画素P(1,2)に送られ、画素P(1,2)の画素電極PE(1,2)の電圧がビデオ電圧Vvideoとなる。この時、画素P(1,2)の輝度Int(1,2)は第1輝度I1(1,2)である。第2時点t2において、黒走査信号BS(1)が有効となり、第2薄膜トランジスタM2(1,2)がオンになる。この時、黒データ信号BD(2)が、黒信号データ線408(2)を介して画素P(1,2)に送られ、画素P(1,2)の画素電極PE(1,2)の電圧が黒電圧Vblackとなる。この時、画素P(1,2)の輝度Int(1,2)は、第1輝度I1(1,2)よりも低い第2輝度I2(1,2)である。第2時点t2と第1時点t1との時間間隔Tは、フレームタイムFTよりも短くなっている。
【００１７】
第1時点t1から第3時点t3までの間に表示されるフレームが正極駆動によるものなら、画素P(1,2)が受けとるビデオデータ信号D(2)は、正極ビデオ電圧Vvideo(＋)であり、画素P(1,2)が受けとる黒データ信号BD(2)は、正極黒電圧Vblack(＋)である。第3時点t3後に表示される次のフレームが負極駆動によるものなら、画素P(1,2)が受けとるビデオデータ信号D(2)は、負極ビデオ電圧Vvideo(−)で、この時次のフレームが表示される。そして第4時点t4において、画素P(1,2)は負極黒電圧Vblack(−)の黒データ信号BD(2)を受信し、この時黒データ信号BD(2)が有効となる。黒データ信号BD(1)〜BD(N)のレベルおよび波形は、対応する画素が黒となるように、ディスプレイ400のタイプおよび駆動方法に応じて調整されている。正極電圧は、共通電極の共通電圧Vcomよりも高く、負極電圧は共通電圧Vcomよりも低い。
【００１８】
第2時点t2と第1時点t1との時間間隔Tは、ディスプレイ400が動画を表示している時に残像現象が十分に改善されるように、ディスプレイ400の特性に応じて調整されている。本実形態においては例えば、時間間隔Tは、フレームタイムFTのほぼ1/2である。
本実形態では、第2時点t2後に画素P(1,2)を黒にする例を示しているが、第2時点t2後に、LCDの他の色の画素P(1,2)が暗状態又はほぼ暗状態であれば、本発明の範囲内であると考えられる。本実施形態では、時間間隔Tの間画素Pを発光させ、その後画素を暗転させることにより、ディスプレイ400の画像表示モードがインパルス型の画像表示モードと同じようになるようにしている。その結果として、ディスプレイ400の残像現象を改善することができる。
第2実施形態
第1実施形態との違いは、ある行の画素に対応する黒信号走査線が、第2実施形態のディスプレイ内の他の行の画素に対応するビデオ走査線と電気的に接続されていることにある。この実施形態においては、他の行の画素に対するビデオ走査信号が、ある特定の画素行に対する黒走査信号として働く。この実施形態には、黒信号走査ドライバを省略できるという利点がある。
【００１９】
図7は、本発明の第2実施形態による動画質の向上したLCD等のディスプレイ700を示す構成図である。Mが12でNが6であって、第1時点t1と第2時点t2との時間間隔TがフレームタイムFTの1/2であるLCD700を、図7に示す。図7では、同一符号は、図4と同じ構成要素を表す。I行目の画素に対応する黒信号走査線406(I)を例にとって説明する。時間間隔TがフレームタイムFTの1/2なので、黒信号走査線406(I)がビデオ走査線402(I+M/2)と電気的に接続されており、ビデオ走査線402(I+M/2)を介して送られるビデオ走査信号S(I+M/2)は、黒走査信号BS(I)として、黒信号走査線406(I)にも送られる。更に、黒信号走査線406(I+M/2)がビデオ走査線402(I)に電気的に接続されており、ビデオ走査線402(I)を介して送られるビデオ走査信号S(I)は、黒走査信号BS(I+M/2)として黒信号走査線406(I+M/2)にも送られる。
【００２０】
例えばMが12の場合、黒信号走査線406(1)はビデオ走査線402(7)と電気的に接続されており、ビデオ走査線402(7)を介して送られるビデオ走査信号S(7)は、黒走査信号BS(1)として黒信号走査線406(1)にも送られる。更に、黒信号走査線406(7)がビデオ走査線402(1)と電気的に接続されており、ビデオ走査線402(1)を介して送られるビデオ走査信号S(1)は、黒走査信号BS(7)として黒信号走査線406(7)にも送られる。他の黒信号走査線と他のビデオ走査線との接続も上述したのと同様であるので、その詳細な説明は省略する。
【００２１】
第1時点t1と第2時点t2との時間間隔Tを他の値に調整した場合、黒信号走査線と他のビデオ走査線との接続も、それに応じて調整する必要がある。例えば、時間間隔TがフレームタイムFTの1/3である場合、黒信号走査ドライバの数を減らすというこの実施形態における目的を達成する為に、黒信号走査線406(I)は、ビデオ走査線402(I+M/3)と電気的に接続される。
【００２２】
本発明の上記の実施形態による、動画質の向上したLCDおよびその駆動方法において、LCDの残像現象を改善することができると共に、動画質も向上させることができる。
好適な実施形態を例にとって本発明を説明したが、本発明はこれだけには限られない。その他の変更及び類似構成や方法を含むことが意図されており、従って、添付した特許請求の範囲は、このような変更及び類似構成や方法等を包含するよう広義に解釈すべきである。
【図面の簡単な説明】
【００２３】
【図１】従来のアモルファスシリコン薄膜トランジスタLCDを示す部分概略図である。
【図２】従来のLCDが画像表示を行っている時における、ある画素の輝度と時間との関係を示す曲線である。
【図３】CRTモニターが画像表示を行っている時における、ある画素の輝度と時間との関係を示す曲線である。
【図４】本発明の第1実施形態による動画質の向上したLCDを示す概略図である。
【図５】Mが12でNが6の場合における、図4のLCDを示す構成図である。
【図６】本発明の第1実施形態による図4のLCDを示す駆動波形図である。
【図７】本発明の第2実施形態による動画質の向上したLCDを示す構成図である。
【図１】
2005326809.tif 000003
【図２】
2005326809.tif 000004
【図３】
2005326809.tif 000005
【図４】
2005326809.tif 000006
【図５】
2005326809.tif 000007
【図６】
2005326809.tif 000008
【図７】
2005326809.tif 000009
【外国語明細書】
2005326809.tif 000010
2005326809.tif 000011
2005326809.tif 000012
2005326809.tif 000013
2005326809.tif 000014
2005326809.tif 000015
2005326809.tif 000016
2005326809.tif 000017
2005326809.tif 000018
2005326809.tif 000019
2005326809.tif 000020
2005326809.tif 000021
2005326809.tif 000022
2005326809.tif 000023
2005326809.tif 000024
2005326809.tif 000025
2005326809.tif 000026
2005326809.tif 000027
2005326809.tif 000028
2005326809.tif 000029
【図１】
2005326809.tif 000030
【図２】
2005326809.tif 000031
【図３】
2005326809.tif 000032
【図４】
2005326809.tif 000033
【図５】
2005326809.tif 000034
【図６】
2005326809.tif 000035
【図７】
2005326809.tif 000036